(57)【要約】
　【課題】　商品の販促に寄与し、安価に製造することができる貯金箱を提供する。
　【解決手段】　自動販売機用のダミー体またはその素材を用いて形成される貯金箱Ｄであって、有底筒状の胴体１と、この胴体１の上部に取り付けられる蓋体２と、前記胴体１の下部に着脱自在に取り付けられる支持台４とを備えた。
　【選択図】　図１
0003099321.tif 000002
【実用新案登録請求の範囲】
【請求項１】
　自動販売機用のダミー体またはその素材を用いて形成される貯金箱であって、有底筒状の胴体と、この胴体の上部に取り付けられる蓋体と、前記胴体の下部に着脱自在に取り付けられる支持台とを備えたことを特徴とする貯金箱。
【請求項２】
　自動販売機用のダミー体またはその素材を用いて形成される貯金箱であって、筒状の胴体と、この胴体の上部に取り付けられる蓋体と、前記胴体の下部に着脱自在に取り付けられ、前記胴体の下端を閉塞する支持台とを備えたことを特徴とする貯金箱。
【請求項３】
　前記胴体が、径がほぼ同一の本体部分と、この本体部分の下側に連設される外径縮小部とを有しており、また、前記外径縮小部の外周に複数のフランジ片が連設されており、前記本体部分の下端部とフランジ片との間に係止するリング部材を設けてある請求項１または２に記載の貯金箱。
【請求項４】
　前記リング部材が前記支持台と一体的に形成されており、前記胴体に対するリング部材の係止およびその解除によって、胴体に対する支持台の着脱を行うようにした請求項３に記載の貯金箱。
【請求項５】
　前記胴体が、その下端部に小径部分を有しており、また、前記支持台が、前記胴体の小径部分のみを挿通させる挿通孔を有しており、前記胴体の小径部分を前記挿通孔に挿通させた状態で胴体をその軸まわりに回動させることにより、胴体に対する支持台の着脱を行うようにした請求項１または２に記載の貯金箱。
【請求項６】
　その外観を自動販売機に設置されるダミー体とほぼ同一又は類似としてある請求項１〜５のいずれかに記載の貯金箱。
【考案の詳細な説明】
【技術分野】
【０００１】
　本考案は、貯金箱に関する。
【背景技術】
【０００２】
　従来より、ジュースやコーヒー、ビールなどの缶入りの飲料を無人販売するための自動販売機の展示部には、実物の商品の代わりにダミー体が展示されている。
【０００３】
　詳しくは、前記ダミー体としては、例えば、ほぼ円筒形状で、下端部に外径縮小部および小径部分が上からこの順に設けられたダミー体本体と、このダミー体本体の上部に取り付けられる蓋体と、前記ダミー体本体の前記外径縮小部に着脱自在に取り付けられるリング部材と、前記ダミー体本体の外周面に取り付けられる商品表示用のラベル体とを備えたものがある。
【０００４】
　より詳しくは、前記ダミー体本体の小径部分の外周には、抜け止め片と回り止め片とが設けられている一方、前記展示部の支持台には、前記ダミー体本体の小径部分のみを挿通させる挿通孔が形成されているとともに、この挿通孔の周縁に前記抜け止め片および回り止め片に対応する凹入部および切り欠き部が形成されている。
【０００５】
　そして、上記の構成からなるダミー体では、ダミー体本体の小径部分を前記展示部の支持台に設けられた挿通孔に挿通させた状態でダミー体をその軸まわりに回動させると、抜け止め片が前記凹入部に係合して上下方向に抜けなくなり、また、回り止め片が前記切り欠き部に係合して回動が抑止される状態となり、これにより、展示部の支持台の挿通孔に対するダミー体の取り付けが完了する。
【０００６】
　上記のようにして取り付けられたダミー体の内側に、前記展示部の支持台の下方に配置された照明用光源からの光が、前記挿通孔を通して照射され、ダミー体がライトアップされることになる。なお、前記ダミー体に対する光源からの光の照射効率を低下させないために前記ダミー体本体には底部が設けられておらず、また、前記照明用光源から照射された光がダミー体の内側に導かれず、前記挿通孔からダミー体の外側へと直接漏れてしまうことを防止するために、前記リング部材によって前記挿通孔の周縁部を塞ぐように構成されている。
【考案の開示】
【考案が解決しようとする課題】
【０００７】
　そして、本考案者は、前記ダミー体を製造するための金型を用いて貯金箱全体またはその要部を製造することに想到した。
【０００８】
　この考案は上述の事柄に留意してなされたもので、その目的は、商品の販促に寄与し、、安価に製造することができる貯金箱を提供することである。
【課題を解決するための手段】
【０００９】
　上記目的を達成するために、本考案の貯金箱は、自動販売機用のダミー体またはその素材を用いて形成される貯金箱であって、有底筒状の胴体と、この胴体の上部に取り付けられる蓋体と、前記胴体の下部に着脱自在に取り付けられる支持台とを備えた（請求項１）。
【００１０】
　また、本考案の貯金箱は、自動販売機用のダミー体またはその素材を用いて形成される貯金箱であって、筒状の胴体と、この胴体の上部に取り付けられる蓋体と、前記胴体の下部に着脱自在に取り付けられ、前記胴体の下端を閉塞する支持台とを備えたものでもよい（請求項２）。
【００１１】
　前記貯金箱において、前記胴体が、径がほぼ同一の本体部分と、この本体部分の下側に連設される外径縮小部とを有しており、また、前記外径縮小部の外周に複数のフランジ片が連設されており、前記本体部分の下端部とフランジ片との間に係止するリング部材を設けてあってもよい（請求項３）。
【００１２】
　さらに、前記貯金箱において、前記リング部材が前記支持台と一体的に形成されており、前記胴体に対するリング部材の係止およびその解除によって、胴体に対する支持台の着脱を行うようにしてもよい（請求項４）。
【００１３】
　また、請求項１に記載の貯金箱において、前記胴体が、その下端部に小径部分を有しており、また、前記支持台が、前記胴体の小径部分のみを挿通させる挿通孔を有しており、前記胴体の小径部分を前記挿通孔に挿通させた状態で胴体をその軸まわりに回動させることにより、胴体に対する支持台の着脱を行うようにしてもよい（請求項５）。
【００１４】
　また、その外観を自動販売機に設置されるダミー体とほぼ同一又は類似としてあってもよい（請求項６）。
【考案の効果】
【００１５】
　上記の構成からなる本考案によれば、商品の販促に寄与し、安価に製造することができる貯金箱を提供することが可能となる。
【００１６】
　すなわち、上記の構成からなる貯金箱の外面（例えば、前記胴体の外面）などに、商品の広告や宣伝のための図柄や文字などを印刷等よって表示させておけば、この貯金箱を例えば販売や無料配布し、流通させるだけで、貯金箱に表示された商品の販促に寄与するものとなる。また、貯金箱は、一般的に、短期間で破棄されるようなものではなく、各家庭などにおいて比較的よく目に入る場所に長期間保存されるものであることから、上記のような商品の販促効果は大変高まることとなる。
【００１７】
　また、上記の構成からなる貯金箱では、自動販売機用のダミー体またはその素材を用いて形成することができ、詳しくは、自動販売機用のダミー体を製造するための金型を用いてそのほとんどの部分（前記支持台以外の部材、すなわち胴体や蓋体を含む貯金箱本体となる部分）を製造することができ、新たに用意する金型は前記貯金箱本体を直立状態で支持する支持台を形成するためのものだけでよいことから、前記貯金箱を製造するために必要な初期費用が極めて低く抑えられ、安価に製造することができる。
【００１８】
　また、その全部をリサイクル原料を用いて形成することができる前記ダミー体と同様に、本考案の貯金箱も、その全部をリサイクル原料を用いて形成することができるため、このことからも、前記貯金箱は、安価に製造することができ、また、資源の有効利用にも寄与するものとなる。
【００１９】
　さらに、前記貯金箱では、前記支持台と、この支持台以外の部分、すなわち前記胴体および蓋体を含む貯金箱本体とが着脱自在であることから、以下のような効果が得られる。すなわち、搬送時など複数の貯金箱を収納したり梱包する際には、貯金箱本体と支持台とを分けることにより、よりコンパクトな収納や梱包を行うことが可能となり、また、使用時には、貯金箱本体に支持台を取り付けることにより、安定性よく貯金箱本体を直立させた状態とすることができる。
【００２０】
　そして、前記胴体が、径がほぼ同一の本体部分と、この本体部分の下側に連設される外径縮小部とを有しており、また、前記外径縮小部の外周に複数のフランジ片が連設されており、前記本体部分の下端部とフランジ片との間に係止するリング部材を設けた場合には、前記胴体の外面に広告・宣伝用の図柄や文字が印刷されたラベルを取り付ける際に、前記蓋体とリング部材とを位置決め用のガイドとして用いることができるため、前記ラベルをより容易にかつ正確な位置に取り付けることが可能となる。
【００２１】
　また、前記リング部材が前記支持台と一体的に形成されており、前記胴体に対するリング部材の係止およびその解除によって、胴体に対する支持台の着脱を行うようにした場合には、胴体、蓋体およびリング部材からなる貯金箱本体に対する支持台の着脱を容易に行うことが可能となり、貯金箱本体と支持台とが着脱自在であることにより生じる上述した効果を確実に得ることができる。
【００２２】
　しかも、この場合にも、貯金箱を安価に製造することができるという効果を損なうおそれがない。すなわち、上述したように、一般的なダミー体は、前記リング部材と、このリング部材を着脱自在に取り付けるための外径縮小部を有するダミー体本体とを有しているのであり、このような構成からなるダミー体を製造するための金型を用いて製造される前記胴体も、前記リング部材を着脱自在に取り付けるための外径縮小部を必然的に有することになるため、胴体を製造するための金型の構造を変更することなくそのまま用いることができる。
【００２３】
　一方、前記胴体が、その下端部に小径部分を有しており、また、前記支持台が、前記胴体の小径部分のみを挿通させる挿通孔を有しており、前記胴体の小径部分を前記挿通孔に挿通させた状態で胴体をその軸まわりに回動させることにより、胴体に対する支持台の着脱を行うようにした場合にも、胴体および蓋体を含む貯金箱本体に対する支持台の着脱を容易に行うことが可能となり、貯金箱本体と支持台とが着脱自在であることにより生じる上述した効果を確実に得ることができる。
【００２４】
　しかも、この場合にも、貯金箱を安価に製造することができるという効果を損なうおそれがない。すなわち、上述したように、一般的なダミー体では、ダミー体本体の小径部分を前記展示部の支持台に設けられた挿通孔に挿通させた状態でダミー体をその軸まわりに回動させるだけで、展示部の支持台の挿通孔に対するダミー体の取り付けが完了するように構成されており、このような構成からなるダミー体を製造するための金型を用いて製造される前記胴体も、ダミー体の前記小径部分に相当する部分を必然的に有することになり、胴体を製造するための金型の構造を変更することなくそのまま用いることができる。なお、この場合には、例えば、前記展示部の支持台に設けられた挿通孔に相当する孔を前記支持台に設ければよい。
【００２５】
　また、特に貯金箱の外観を自動販売機に設置されるダミー体とほぼ同一又は類似とした場合には、前記ダミー体が表示する商品（例えば缶入りのコーヒー飲料）と前記貯金箱との外観がほぼ同一または非常に類似したものとなり、前記商品の広告宣伝効果は飛躍的に高まることとなる。
【考案を実施するための最良の形態】
【００２６】
　以下、本考案の実施の形態を図面に基づいて説明する。図１および図２は、本考案の第一実施例に係る貯金箱Ｄの構成を概略的に示す分解斜視図および縦断面図である。
【００２７】
　貯金箱Ｄは、有底筒状の胴体１と、この胴体１の上部に取り付けられるほぼ円板状の蓋体２と、前記胴体１の下部に着脱自在に取り付けられるリング部材３および支持台４と、前記胴体１の本体部分５（後述する）に取り付けられるラベルＬとを備えており、前記支持台４を除く部分、すなわち、胴体１と蓋体２とリング部材とラベルＬとからなる貯金箱本体Ａが、ほぼ円柱形状の飲料缶と類似した形状を呈するように構成されている。
【００２８】
　前記胴体１は、径がほぼ同一の本体部分５と、この本体部分５の下側に連設される本体部分５よりも外径が小さい外径縮小部６と、この外径縮小部６の下側に連設される外径縮小部６よりも外径が小さい小径部分７とを有している。
【００２９】
　前記本体部分５の上端部には、内側に凹んでなる凹溝５ａが全周にわたって形成されている。
【００３０】
　前記外径縮小部６の外周には、図２および図３に示すように、複数（本実施例では３つ）のフランジ片６ａが連設されている。
【００３１】
　前記小径部分７の外周には、図４に示すように、抜け止め片８と回り止め片９とがそれぞれ２つずつ外方に突出した状態で形成されている。
【００３２】
　前記抜け止め片８は、ほぼＬ字形状をしており、上下方向に延びる垂直部分８ａと、この垂直部分８ａの下部から水平方向に延びる水平部分８ｂとからなる。
【００３３】
　前記回り止め片９は、ほぼ直線状で、上下方向に延びている。
【００３４】
　前記蓋体２は、上方に凹み、前記胴体１の本体部分５の上端部が差し込まれる環状溝２ａを周縁部に有しており、また、前記環状溝２ａの内側には、前記胴体１の本体部分５の凹溝５ａに係止する係止部分２ｂが形成されている。
【００３５】
　また、前記蓋体２には、硬貨投入用のスリット状の穴Ｈが設けられている。
【００３６】
　前記リング部材３は、前記胴体１の外径縮小部６の外径とほぼ同じ程度かあるいはそれよりも若干大きな内径を有するリング状をしており、その上端部の内周面に、内側に突出し、前記胴体１の本体部分５の下端部とフランジ片６ａとの間に係止する環状突出部３ａを有している。
【００３７】
　前記支持台４は、前記貯金箱本体Ａを直立させるためのものであり、ほぼ袴状（スカート状）をしている。詳しくは、前記支持台４は、前記胴体１（貯金箱本体Ａ）よりも大きな幅を有しており、また、中央部には、前記胴体１の小径部分７のみを挿通させるほぼ円形状の挿通孔１０が設けられている。さらに、この挿通孔１０の周縁には、前記抜け止め片８および回り止め片９に対応する凹入部１１および切り欠き部１２，１３が形成されている。なお、前記切り欠き部１２，１３は、ともに平面視ほぼ三角形状をしており、また、切り欠き部１２に比して切り欠き部１３が一回り小さく形成されており、さらに、前記２つの切り欠き部１２，１３は隣接して設けられている。
【００３８】
　前記ラベルＬは、ほぼ矩形状または正方形状をしており、例えば、缶飲料の商品表示用あるいは商品広告用の図柄、文字などが印刷されており、前記胴体１の本体部分５の外面に接着剤などの適宜の手段によって取り付けられる。なお、前記胴体１の本体部分５が透明または半透明に形成されている場合には、ラベルＬを前記本体部分５の内側に取り付けてもよい。
【００３９】
　前記胴体１、蓋体２、リング部材３および支持台４はそれぞれ、例えば、ポリカーボン、ポリプロピレン、ＰＥＴなどの合成樹脂およびそれらの再生品などを用いて成形することができる。
【００４０】
　上記の構成からなる貯金箱Ｄを組み立てるには、まず、前記胴体１に対して蓋体２およびリング部材３を取り付けた後、前記蓋体２およびリング部材３にガイドさせることによりラベルＬを位置決めして取り付け、貯金箱本体Ａを形成する。
【００４１】
　そして、この貯金箱本体Ａに支持台４を取り付けるには、前記胴体１の小径部分７を支持台４の挿通孔１０に挿通させた状態で胴体１（貯金箱本体Ａ）をその軸まわりに回動させるだけでよい。
【００４２】
　詳しくは、前記胴体１の小径部分７を支持台４の挿通孔１０に挿通させるには、小径部分７の外周に設けられた抜け止め片８および回り止め片９を、それぞれ前記挿通孔１０の周縁に形成された凹入部１１および切り欠き部１２に位置合わせすればよい。
【００４３】
　その後、胴体１をその軸まわりに回動させて、前記切り欠き部１２に対応する位置にある回り止め片９を切り欠き部１３へと移動させると、前記切り欠き部１３は回り止め片９とほぼ同じ程度の大きさに形成されていることから、回り止め片９が切り欠き部１３内から外部に出る動きがある程度抑えられることとなり、その結果、胴体１の回動がある程度抑止されることとなる。
【００４４】
　また、前記回動によって凹入部１１に対応する位置にあった抜け止め片８の水平部分８ｂは、図５（Ａ）および（Ｂ）に示すように、前記凹入部１１に対応する位置から外れた位置へと移動し、その上方に挿通孔１０の周縁部を構成する壁部分が位置する状態となるため、この壁部分によって抜け止め片８の上方への移動が抑えられ、その結果、胴体１の小径部分７が挿通孔１０から抜けることが抑止されることとなる。
【００４５】
　なお、前記貯金箱本体Ａから支持台４を取り外すには、支持台４を貯金箱本体Ａに取り付けるときと逆の操作を行うだけでよく、前記胴体１の小径部分７を前記挿通孔１０に挿通させた状態で胴体１（貯金箱本体Ａ）をその軸まわりに回動させることにより、胴体１（貯金箱本体Ａ）に対する支持台４の着脱を行うようにしてある。
【００４６】
　そして、上記の構成からなる貯金箱Ｄでは、前記硬貨投入用の孔Ｈから硬貨を投入すると、投入された硬貨は、前記蓋体２により閉塞された胴体１内部に収容されることとなる。また、前記蓋体２を胴体１から取り外せば、貯金箱Ｄ内に収容した硬貨を取り出すことができる。
【００４７】
　しかし、前記蓋体２を胴体１に対して接着剤などを用いて取り外すことができないように構成し、貯金箱Ｄを破壊しなければ貯金箱Ｄ内に収容した硬貨を外部に取り出せないように構成してもよい。
【００４８】
　上記の構成からなる貯金箱Ｄは、自動販売機用のダミー体またはその素材を用いて形成することができる。
【００４９】
　すなわち、一般的な自動販売機用の飲料缶タイプのダミー体は、ほぼ円筒形状で、下端部に小径部分が設けられた光透過性を持った材料からなるダミー体本体と、このダミー体本体の上部に取り付けられる蓋体と、前記ダミー体本体の下部に取り付けられるリング部材と、前記ダミー体本体の側壁に取り付けられる光透過性を持った材料からなる商品表示用のラベル体とを備えている。
【００５０】
　そして、前記ダミー体は、自動販売機の展示部の支持台に設けられた挿通孔に前記ダミー体本体の下端部に設けられた小径部分を挿入し、適宜の方向に軸まわりに回動させることによって取り付けられるのであり、このようにして取り付けられたダミー体の内側に、前記展示部の下方に配置された照明用光源からの光が照射され、ダミー体がライトアップされることになる。なお、前記光の照射効率を上昇させるために前記ダミー体本体には底部が設けられておらず、また、前記リング部材は、前記照明用光源から照射された光がダミー体の内側に導かれず、前記挿通孔からダミー体の外側へと直接漏れてしまうことを防止するために設けられたものである。
【００５１】
　従って、ダミー体のリング部材およびラベルはそのまま貯金箱Ｄのリング部材３およびラベルＬとしてそのまま用いることができ、また、ダミー体の蓋体も、硬貨投入用の孔Ｈを設けるだけで貯金箱Ｄの蓋体２としてそのまま用いることができる。
【００５２】
　また、前記ダミー体本体は、ブロー成形を行い、中空で天部と底部とを有するほぼ円筒形状の部材を形成した後、前記底部と天部とを切断して形を整えることにより形成されるが、前記底部を切断する工程を省き、底部をそのまま残すことにより貯金箱Ｄの胴体１を形成することができる。
【００５３】
　すなわち、前記胴体１、蓋体２、リング部材３およびラベルＬからなる貯金箱本体Ａは、自動販売機用のダミー体またはその素材を用いて形成することができ、換言すれば、前記ダミー体を製造するための金型を用いてそのほとんどを製造することができ、前記支持台４を形成するための金型のみを新たに用意するだけでよい。
【００５４】
　なお、上記の構成からなる貯金箱Ｄにおいて、前記硬貨投入用の孔Ｈは、蓋体２に設けられるものに限られず、例えば、胴体１の本体部分５およびラベルＬを挿通するように設けてもよい。また、前記リング部材３を設けなくともよい。
【００５５】
　さらに、上記の構成からなる貯金箱Ｄにおいて、前記胴体１を有底とせず底部を切断して開放してもよく、この場合には、前記胴体１の下端を閉塞することができるように、前記支持台４に底壁部を設ければよい。この場合、貯金箱Ｄ内に収容された硬貨の取り出しは、蓋体２を胴体１から取り外すことによっても、また、支持台４を胴体１から取り外すことによっても行うことができる。
【００５６】
　図６および図７は、本考案の第二実施例に係る貯金箱Ｄ2 の構成を概略的に示す分解斜視図および縦断面図である。なお、上記第一実施例に示したものと同一または同様の構成を有する部材には、同じ符号を付しその説明を省略する。
【００５７】
　第二実施例の貯金箱Ｄ2 は、第一実施例の貯金箱Ｄに比して、前記リング部材３が前記支持台４と一体的に形成されており、前記胴体１に対するリング部材３の係止およびその解除によって、胴体１に対する支持台４の着脱を行うようにしてある点で異なる。
【００５８】
　詳しくは、第一実施例における支持台４の挿通孔１０の周縁に、前記凹入部１１、切り欠き部１２、１３を設ける代わりに、前記環状突出部３ａを有するリング部材３を設けてあり、支持台４はよりシンプルな構造を有するものとなる。
【００５９】
　上記第二実施例の貯金箱Ｄ2 では、第一実施例の貯金箱Ｄによって得られる効果とほぼ同様が得られるだけでなく、貯金箱Ｄ2 の部材点数が少なくなることから、より容易に組み立てることが可能となるという効果を得ることができ、また、部材点数が少なくなることに加えて、前記支持台４の構成が非常にシンプルになることからも、支持台４をより安価に製造することが可能となるという効果も得られる。
【図面の簡単な説明】
【００６０】
【図１】本考案の第一実施例に係る貯金箱の構成を概略的に示す分解斜視図である。
【図２】上記実施例の構成を概略的に示す縦断面図である。
【図３】前記外径縮小部の構成を概略的に示す横断端面図である。
【図４】上記実施例における胴体の小径部分と支持台の挿通孔との構成を概略的に示す説明図である。
【図５】（Ａ）および（Ｂ）は、上記実施例の要部の構成を概略的に示す説明図および要部拡大縦断面図である。
【図６】本考案の第二実施例に係る貯金箱の構成を概略的に示す分解斜視図である。
【図７】上記実施例の構成を概略的に示す縦断面図である。
【符号の説明】
【００６１】
　１　胴体
　２　蓋体
　４　支持台
　Ｄ　貯金箱
【図１】
0003099321.tif 000003
【図２】
0003099321.tif 000004
【図３】
0003099321.tif 000005
【図４】
0003099321.tif 000006
【図５】
0003099321.tif 000007
【図６】
0003099321.tif 000008
【図７】
0003099321.tif 000009